(57)【要約】【課題】後発縦線キズにも対応可能な、撮影条件によらない精度よい縦線キズ補正を実現する。【解決手段】第１の画素群と第２の画素群とに蓄積された信号電荷を個別に読み出すことが可能な撮像素子を用いて、第１の画素群と第２の画素群とに第１の所定時間の露光を行い、第１の画素群から露光時間が第１の所定時間である第１の画像を取得し、第２の画素群から露光時間が第１の所定時間より短い第２の所定時間である第２の画像と、露光時間が少なくとも第１の所定時間と前記第２の所定時間との差分以下の第３の所定時間である第３の画像を取得し、第３の画像に基づいて撮像素子の縦線キズの情報を検出し、縦線キズの情報に基づいて第１の画像の縦線キズと第２の画像の縦線キズとを補正する。【選択図】  図５
2010166246.tif 000002
【特許請求の範囲】
【請求項１】
所定の配列形態にしたがって配列された第１の画素群と、所定の配列形態にしたがって前記第１の画素群と交互に配列された第２の画素群とからなる撮像素子であって、前記第１の画素群と第２の画素群とに蓄積された信号電荷を個別に読み出すことが可能な垂直転送路及び水平転送路を有し、前記水平転送路から順次読み出される信号電荷に応じた出力信号を出力する撮像素子と、
前記第１の画素群と前記第２の画素群とに第１の所定時間の露光を行う手段と、
前記第１の画素群から露光時間が前記第１の所定時間である第１の画像を取得し、前記第２の画素群から露光時間が前記第１の所定時間より短い第２の所定時間である第２の画像と、露光時間が少なくとも前記第１の所定時間と前記第２の所定時間との差分以下の第３の所定時間である第３の画像を取得する手段と、
前記第３の画像に基づいて、前記撮像素子の縦線キズの情報を検出する手段と、
前記縦線キズの情報に基づいて、前記第１の画像の縦線キズと前記第２の画像の縦線キズとを補正する手段と、
を備えたことを特徴とする撮像装置。
【請求項２】
前記第１の画像と前記第２の画像とからダイナミックレンジを拡大した画像を取得することを特徴とする請求項１に記載の撮像装置。
【請求項３】
ダイナミックレンジの拡大率に応じて前記第１の所定時間と前記第２の所定時間との比を決定することを特徴とする請求項２に記載の撮像装置。
【請求項４】
前記第３の画像を取得する際に、垂直方向に隣接する所定数の信号電荷を加算する手段を備えたことを特徴とする請求項１から３のいずれかに記載の撮像装置。
【請求項５】
前記第３の画像の信号電荷の電荷量と前記垂直転送路及び水平転送路の転送容量とに基づいて、前記所定数を決定することを特徴とする請求項４に記載の撮像装置。
【請求項６】
前記第３の画像の画面内の輝度の変化を予測する手段と、
前記予測した輝度の変化に基づいて、前記垂直方向の領域のうち前記加算手段による加算を行う領域と加算を行わない領域との比を切り替える手段と、
を備えたことを特徴とする請求項５に記載の撮像装置。
【請求項７】
前記垂直転送路は、
印加される垂直駆動パルスに応じて読み出した信号電荷を転送するための転送パケットを形成する複数の転送電極と、
前記形成された転送パケットの転送方向の前方の転送電極をオンして新たな転送パケットを形成させるとともに該転送パケットの最後尾の転送電極をオフして当該転送パケットを消滅させることにより前記読み出した電荷を垂直方向に転送する制御手段であって、前記転送パケットの最後尾の転送電極をオフしてから該転送パケットの前方の転送電極をオンするまでのオーバーラップ時間を撮影感度に応じて制御可能な制御手段と、
を備え、
前記制御手段は、前記撮影感度が所定値以上の場合に前記オーバーラップ時間を所定時間より長くすることを特徴とする請求項１から６のいずれかに記載の撮像装置。
【請求項８】
所定の配列形態にしたがって配列された第１の画素群と、所定の配列形態にしたがって前記第１の画素群と交互に配列された第２の画素群とからなる撮像素子であって、前記第１の画素群と第２の画素群とに蓄積された信号電荷を個別に読み出すことが可能な垂直転送路及び水平転送路を有し、前記水平転送路から順次読み出される信号電荷に応じた出力信号を出力する撮像素子を用いた撮像制御方法において、
前記第１の画素群と前記第２の画素群とに第１の所定時間の露光を行う工程と、
前記第１の画素群から露光時間が前記第１の所定時間である第１の画像を取得し、前記第２の画素群から露光時間が前記第１の所定時間より短い第２の所定時間である第２の画像と、露光時間が少なくとも前記第１の所定時間と前記第２の所定時間との差分以下の第３の所定時間である第３の画像を取得する工程と、
前記第３の画像に基づいて、前記撮像素子の縦線キズの情報を検出する工程と、
前記縦線キズの情報に基づいて、前記第１の画像の縦線キズと前記第２の画像の縦線キズとを補正する工程と、
を備えたことを特徴とする撮像制御方法。
【発明の詳細な説明】
【技術分野】
【０００１】
本発明は撮像装置及び撮像制御方法に係り、特に、撮影条件によらない精度よい縦線キズ補正を実現する撮像装置及び撮像制御方法に関する。
【背景技術】
【０００２】
固体撮像素子の多画素化（微細化）に伴い、デバイスあたりの画素欠陥（ＶＣＣＤ欠陥）も増加する傾向にある。ＶＣＣＤ欠陥による縦線キズは、複数画素に影響を及ぼすため、通常の画素欠陥による単キズよりも撮影画像の見えが悪くなる。この撮影画像の見えが悪くなることを防止するために、ＶＣＣＤ欠陥による縦線キズを補正する技術が知られている。
【０００３】
しかしながら、縦線キズには温特があるため、撮影条件によっては縦線キズレベルが小さくなり、補正が不要の場合もある。補正が不要であるにもかかわらず補正を行ってしまうと、補正の結果が過補正となり、かえって撮影画像の見えの悪化を招く恐れもある。
【０００４】
このような課題に対して、特許文献１には、温度や通電時間等の撮影条件を考慮して補正する手段として、縦線キズの先頭キズアドレスから特定エリア内のレベルを検出し、補正可否を判断する技術が記載されている。また、特許文献２には、特定撮影条件のみ縦線キズのレベルを検出して補正可否を判断する技術が記載されている。これらの技術によれば、補正が必要な場合にのみ、縦線キズ補正を行うことが可能となる。
【特許文献１】特開２００４−２３６８３号公報
【特許文献２】特開２００６−１４８３９２号公報
【発明の開示】
【発明が解決しようとする課題】
【０００５】
しかしながら、特許文献１及び特許文献２に記載の技術は、カメラの製造工程で登録した初期情報のみを基にしているため、その後発生した後発縦線キズに関しては補正することができないという欠点があった。
【０００６】
本発明はこのような事情に鑑みてなされたもので、後発縦線キズにも対応可能な、撮影条件によらない精度よい縦線キズ補正を実現する撮像装置及び撮像制御方法を提供することを目的とする。
【課題を解決するための手段】
【０００７】
前記目的を達成するために請求項１に記載の撮像装置は、所定の配列形態にしたがって配列された第１の画素群と、所定の配列形態にしたがって前記第１の画素群と交互に配列された第２の画素群とからなる撮像素子であって、前記第１の画素群と第２の画素群とに蓄積された信号電荷を個別に読み出すことが可能な垂直転送路及び水平転送路を有し、前記水平転送路から順次読み出される信号電荷に応じた出力信号を出力する撮像素子と、前記第１の画素群と前記第２の画素群とに第１の所定時間の露光を行う手段と、前記第１の画素群から露光時間が第１の所定時間である第１の画像を取得し、前記第２の画素群から露光時間が前記第１の所定時間より短い第２の所定時間である第２の画像と、露光時間が少なくとも前記第１の所定時間と前記第２の所定時間との差分以下の第３の所定時間である第３の画像を取得する手段と、前記第３の画像に基づいて、前記撮像素子の縦線キズの情報を検出する手段と、前記縦線キズの情報に基づいて、前記第１の画像の縦線キズと前記第２の画像の縦線キズとを補正する手段とを備えたことを特徴とする。
【０００８】
本発明によれば、第１の画素群と第２の画素群とに蓄積された信号電荷を個別に読み出すことが可能な撮像素子を用いて、第１の画素群と第２の画素群とに第１の所定時間の露光を行い、第１の画素群から露光時間が第１の所定時間である第１の画像を取得し、第２の画素群から露光時間が第１の所定時間より短い第２の所定時間である第２の画像と、露光時間が少なくとも第１の所定時間と前記第２の所定時間との差分以下の第３の所定時間である第３の画像を取得し、第３の画像に基づいて撮像素子の縦線キズの情報を検出し、縦線キズの情報に基づいて第１の画像の縦線キズと第２の画像の縦線キズとを補正するようにしたので、後発縦線キズにも対応可能な、撮影条件によらない精度よい縦線キズ補正を行うことができる。
【０００９】
請求項２に示すように請求項１に記載の撮像装置において、前記第１の画像と前記第２の画像とからダイナミックレンジを拡大した画像を取得することを特徴とする。
【００１０】
これにより、撮影時間を長くすること無く、縦線キズが補正されたダイナミックレンジを拡大した画像を取得することができる。
【００１１】
請求項３に示すように請求項２に記載の撮像装置において、ダイナミックレンジの拡大率に応じて前記第１の所定時間と前記第２の所定時間との比を決定することを特徴とする。
【００１２】
これにより、縦線キズを補正すると共に、適切にダイナミックレンジを拡大した画像を取得することができる。
【００１３】
請求項４に示すように請求項１から３のいずれかに記載の撮像装置において、前記第３の画像を取得する際に、垂直方向に隣接する所定数の信号電荷を加算する手段を備えたことを特徴とする。
【００１４】
これにより、第３の画像を取得する際の信号電荷の転送時間を短縮することができる。
【００１５】
請求項５に示すように請求項４に記載の撮像装置において、前記第３の画像の信号電荷の電荷量と前記垂直転送路及び水平転送路の転送容量とに基づいて、前記所定数を決定することを特徴とする。
【００１６】
これにより、適切に加算する信号電荷の数を決定することができる。
【００１７】
請求項６に示すように請求項５に記載の撮像装置において、前記第３の画像の画面内の輝度の変化を予測する手段と、前記予測した輝度の変化に基づいて、前記垂直方向の領域のうち前記加算手段による加算を行う領域と加算を行わない領域との比を切り替える手段とを備えたことを特徴とする。
【００１８】
これにより、画像の画面内の輝度の変化に応じて適切に加算を行うことができる。
【００１９】
請求項７に示すように請求項１から６のいずれかに記載の撮像装置において、前記垂直転送路は、印加される垂直駆動パルスに応じて読み出した信号電荷を転送するための転送パケットを形成する複数の転送電極と、前記形成された転送パケットの転送方向の前方の転送電極をオンして新たな転送パケットを形成させるとともに該転送パケットの最後尾の転送電極をオフして当該転送パケットを消滅させることにより前記読み出した電荷を垂直方向に転送する制御手段であって、前記転送パケットの最後尾の転送電極をオフしてから該転送パケットの前方の転送電極をオンするまでのオーバーラップ時間を撮影感度に応じて制御可能な制御手段とを備え、前記制御手段は、前記撮影感度が所定値以上の場合に前記オーバーラップ時間を所定時間より長くすることを特徴とする。
【００２０】
これにより、撮影感度が高いために信号電荷が少ない場合に、転送効率を高くして縦線キズの検出の精度を確保することができる。
【００２１】
前記目的を達成するために請求項８に記載の撮像制御方法は、所定の配列形態にしたがって配列された第１の画素群と、所定の配列形態にしたがって前記第１の画素群と交互に配列された第２の画素群とからなる撮像素子であって、前記第１の画素群と第２の画素群とに蓄積された信号電荷を個別に読み出すことが可能な垂直転送路及び水平転送路を有し、前記水平転送路から順次読み出される信号電荷に応じた出力信号を出力する撮像素子を用いた撮像制御方法において、前記第１の画素群と前記第２の画素群とに第１の所定時間の露光を行う工程と、前記第１の画素群から露光時間が前記第１の所定時間である第１の画像を取得し、前記第２の画素群から露光時間が前記第１の所定時間より短い第２の所定時間である第２の画像と、露光時間が少なくとも前記第１の所定時間と前記第２の所定時間との差分以下の第３の所定時間である第３の画像を取得する工程と、前記第３の画像に基づいて、前記撮像素子の縦線キズの情報を検出する工程と、前記縦線キズの情報に基づいて、前記第１の画像の縦線キズと前記第２の画像の縦線キズとを補正する工程とを備えたことを特徴とする。
【００２２】
本発明によれば、第１の画素群と第２の画素群とに蓄積された信号電荷を個別に読み出すことが可能な撮像素子を用いて、第１の画素群と第２の画素群とに第１の所定時間の露光を行い、第１の画素群から露光時間が第１の所定時間である第１の画像を取得し、第２の画素群から露光時間が第１の所定時間より短い第２の所定時間である第２の画像と、露光時間が少なくとも第１の所定時間と前記第２の所定時間との差分以下の第３の所定時間である第３の画像を取得し、第３の画像に基づいて撮像素子の縦線キズの情報を検出し、縦線キズの情報に基づいて第１の画像の縦線キズと第２の画像の縦線キズとを補正するようにしたので、後発縦線キズにも対応可能な、撮影条件によらない精度よい縦線キズ補正を行うことができる。
【発明の効果】
【００２３】
本発明によれば、第１の画素群と第２の画素群とに蓄積された信号電荷を個別に読み出すことが可能な撮像素子を用いて、第１の画素群と第２の画素群とに第１の所定時間の露光を行い、第１の画素群から露光時間が第１の所定時間である第１の画像を取得し、第２の画素群から露光時間が第１の所定時間より短い第２の所定時間である第２の画像と、露光時間が少なくとも第１の所定時間と前記第２の所定時間との差分以下の第３の所定時間である第３の画像を取得し、第３の画像に基づいて撮像素子の縦線キズの情報を検出し、縦線キズの情報に基づいて第１の画像の縦線キズと第２の画像の縦線キズとを補正するようにしたので、後発縦線キズにも対応可能な、撮影条件によらない精度よい縦線キズ補正を行うことができる。
【発明を実施するための最良の形態】
【００２４】
以下に、本発明を実施するための最良の形態について説明する。
【００２５】
図１は、本発明に係るデジタルカメラ１の撮像信号系における電気的構成の一例を示す図である。同図に示すように、デジタルカメラ１は、ＣＣＤ１０、タイミングジェネレータ（ＴＧ）１１、アナログ信号処理部（ＡＦＥ）１２、信号処理ＩＣ（ＣＰＵ）１３、及びキー操作部１４等を備えて構成される。
【００２６】
各部はＣＰＵ１３に制御されて動作し、ＣＰＵ１３は、キー操作部１４からの入力に基づき所定の制御プログラムを実行することにより、デジタルカメラ１の撮像信号系を制御する。
【００２７】
キー操作部１４は、図示しない電源ボタン、シャッターレリーズボタン、ＩＳＯ感度設定ボタン、撮影条件設定用十字キー等を備え、それぞれの操作に応じた信号をＣＰＵ１３に出力する。
【００２８】
ＣＣＤ１０は、図示しない撮影レンズ、絞り、メカシャッタ等の後段に配置されており、これらを透過した被写体光を受光する。
【００２９】
図２は、ＣＣＤ１０の概略を示す図であり、点線矢印は信号電荷の移動方向を示している。同図に示すように、ＣＣＤ１０の受光面には多数のフォトダイオード１０１が配列されており、主画素のフォトダイオード１０１ａと副画素のフォトダイオード１０１ｂとが交互に配列されている。また、各フォトダイオード１０１に対応して図示しない赤（Ｒ）、緑（Ｇ）、青（Ｂ）の原色カラーフィルタが所定の配列構造で配置されている。受光面上に結像された被写体光は、各フォトダイオード１０１によって電気信号に変換され、蓄積される。
【００３０】
各フォトダイオード１０１に蓄積された電気信号は、フォトダイオード１０１の垂直列毎に備えられた垂直転送路（ＶＣＣＤ）１０２に読み出される。垂直転送路１０２は、主画素のフォトダイオード１０１ａと副画素のフォトダイオード１０１ｂとで共通に使用可能となっている。各垂直転送路１０２は、図示しないＶ１〜Ｖ８の転送電極を備え、タイミングジェネレータ１１から各転送電極に供給される８相の垂直転送パルスにより駆動される。また、主画素のフォトダイオード１０１ａの垂直転送路１０２への読み出しはタイミングジェネレータ１１からＶ２／Ｖ６電極に読み出しパルスを印加することにより行われ、副画素のフォトダイオード１０１ｂの垂直転送路１０２への読み出しはタイミングジェネレータ１１からＶ４／Ｖ８電極に読み出しパルスを印加することにより行われる。このように、主画素のフォトダイオード１０１ａの垂直転送路１０２への読み出しと副画素のフォトダイオード１０１ｂの垂直転送路１０２への読み出しは、個別の読み出しパルスによって独立して行うことが可能となっている。
【００３１】
また、ＣＣＤ１０は、オーバーフロードレイン構造を有しており、水平同期信号に同期して印加されるＯＦＤシャッターパルスにより、主画素のフォトダイオード１０１ａ及び副画素のフォトダイオード１０１ｂの全ての受光素子内の残留電荷をＣＣＤ１０の基板側に排出することが可能となっている。
【００３２】
このように、垂直転送路１０２は、フォトダイオード１０１から読み出した信号をタイミングジェネレータ１１から供給されるクロックに同期して、１ラインずつラインメモリ（ＬＭ）１０３に転送する。ラインメモリ１０３に転送された複数ラインの信号は、画素加算等が行われた後、水平転送路（ＨＣＣＤ）１０４に転送される。さらに水平転送路１０４は、画素加算が行われた１ライン分の信号を、タイミングジェネレータ１１から供給されるクロックに同期してアンプ部１０５に入力し、アンプ部１０５で増幅された信号がアナログ信号処理部１２へ出力される。
【００３３】
なお、画像信号の出力は、デジタルカメラ１が撮影モードにセットされると開始される。即ち、デジタルカメラ１が撮影モードにセットされると、図示しない表示部にスルー画像を表示するため、画像信号の出力が開始される。スルー画像は、主画素のフォトダイオード１０１ａ及び副画素のフォトダイオード１０１ｂの両方の画像信号から生成されるが、どちらか一方の画像信号のみを用いても構わない。このスルー画像用の画像信号の出力は、本撮影の指示が行われると一旦停止され、本撮影が終了すると再度開始される。なお、本撮影終了時には、一定時間、図示しない表示部に本撮影された撮影画像が表示される（ポストビュー）。ユーザは、ポストビューを確認することにより、撮影画像が適切に撮影できたか否かを確認することができる。
【００３４】
アナログ信号処理部１２は、図示しない相関二重サンプリング回路（ＣＤＳ）、クランプ処理回路、自動ゲインコントロール回路（ＡＧＣ）、及びＡ／Ｄ変換器を含んで構成される。
【００３５】
ＣＤＳは、画像信号に含まれているノイズの除去を行う。クランプ処理回路は、暗電流成分を除去する処理を行う。さらに、ＡＧＣは、暗電流成分が除去された画像信号を、設定された撮影感度（ＩＳＯ感度）に応じた所定のゲインで増幅する。所要の信号処理が施されたアナログの画像信号は、Ａ／Ｄ変換器において所定ビットの階調幅を持ったデジタルの画像信号に変換される。この画像信号は、いわゆるＲＡＷデータであり、画素毎にＲ、Ｇ、Ｂの濃度を示す階調値を有している。このデジタルの画像信号は、信号処理ＩＣ１３に入力される。
【００３６】
信号処理ＩＣ１３は、入力されたＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。
【００３７】
このＹ／Ｃ信号は、所定形式（たとえば、ＪＰＥＧ）の圧縮処理が施され、図示しない記録媒体に記憶される。
【００３８】
また、信号処理ＩＣ１３は、入力されたＲ、Ｇ、Ｂの画像信号に基づいてＡＥ制御に必要な積算値を算出する。ＣＰＵ４５は、積算値から輝度値を算出し、輝度値から露出値を求める。また露出値から所定のプログラム線図に従って、絞り値及びシャッタースピードを決定する。
【００３９】
＜垂直転送路の欠陥による縦線キズの発生＞
次に、垂直転送路１０２の欠陥による撮影画像の縦線キズの発生について説明する。
【００４０】
図３は、ＣＣＤ１１のフォトダイオード１０１の１つの列の信号電荷１１１〜１１６を、垂直転送路１０２において垂直転送する様子を示す模式図である。
【００４１】
まず、図３（ａ）に示すように、ＣＣＤ１１の受光面上に結像された被写体光が各フォトダイオード１０１によって電気信号に変換され、各フォトダイオードには、信号電荷１１１〜１１６が発生する。このとき、垂直転送路１０２には、画素欠陥に起因する暗電流成分１２１が発生している。
【００４２】
次に、図３（ｂ）に示すように、フォトダイオード１０１に発生した信号電荷１１１〜１１６を、垂直転送路１−２に読み出す。このとき、信号電荷１１３は、垂直転送路１０２の欠陥画素に読み出されるため、信号電荷１１３には画素欠陥に起因した暗電流成分１２１が加算される。
【００４３】
次に、図３（ｃ）に示すように、垂直転送路１０２は、図の下方向に転送路上の信号電荷を転送する。垂直転送路１０２の最下部（出力端）から出力された信号電荷１１１は、図示しない水平転送路により水平転送される。また、信号電荷１１４は、垂直転送路１０２の欠陥画素に転送されるため、信号電荷１１４には、信号転送中に欠陥に起因して発生した暗電流成分１２２が加算される。
【００４４】
さらに、図３（ｄ）に示すように、垂直転送路１０２は、図の下方向に転送路上の信号電荷を転送する。垂直転送路１０２の最下部から出力された信号電荷１１２は、図示しない水平転送路により水平転送される。また、信号電荷１１５は、垂直転送路１０２の欠陥画素に転送されるため、信号電荷１１５には、信号転送中に欠陥に起因して発生した暗電流成分１２３が加算される。
【００４５】
さらに垂直転送を継続すると、図３（ｅ）に示すように、信号電荷１１３と欠陥に起因した暗電流成分１２１が加算された信号は、図示しない水平転送路により水平転送される。また、信号電荷１１６は、垂直転送路１０２の欠陥画素に転送されるため、信号電荷１１６には、信号転送中に欠陥に起因して発生した暗電流成分１２４が加算される。
【００４６】
同様に、図３（ｆ）、図３（ｇ）、図３（ｈ）に示すように、信号電荷１１４と欠陥に起因した暗電流成分１２２が加算された信号、信号電荷１１５と欠陥に起因した暗電流成分１２３が加算された信号、及び信号電荷１１６と欠陥に起因した暗電流成分１２４が加算された信号ついても、図示しない水平転送路により順に水平転送される。
【００４７】
このように、アナログ信号処理部１２に入力される信号は、垂直転送路１０２の画素欠陥部を通過して転送された信号電荷１１３〜１１６については、欠陥に起因した暗電流成分が加算された信号となる。すなわち、垂直転送路１０２上に欠陥画素が存在すると、この欠陥画素に起因する暗電流成分が画像上に線キズとなって現れてしまう。
【００４８】
＜第１の実施の形態＞
第１の実施の形態のデジタルカメラ１の縦線キズ補正の動作について説明する。図４は、デジタルカメラ１のダイナミックレンジ拡大撮影モードにおける動作を示すフローチャートであり、図５は、同モードにおける信号電荷の蓄積と転送に関するタイミングチャートである。
【００４９】
ユーザは、キー操作部１４を用いて、デジタルカメラ１をダイナミックレンジ拡大撮影モードに設定することが可能となっている。ダイナミックレンジ拡大撮影モードは、主画素のフォトダイオード１０１ａと副画素のフォトダイオード１０１ｂとを異なる露光時間で撮影を行い、それぞれの画素で撮影された画像について加算処理を行うことでダイナミックレンジを拡大した画像を取得するモードである。このモードでは、ユーザは、任意のダイナミックレンジ拡大率を設定することが可能である。
【００５０】
ダイナミックレンジ拡大率が設定されると、信号処理ＩＣ１３は、設定された拡大率が１００％より大きいか否かを判定する（ステップＳ１）。１００％以下の場合は、主画素のフォトダイオード１０１ａと副画素のフォトダイオード１０１ｂとに同じ露光を行う通常の撮影を行い（ステップＳ６）、公知の方法と同様に、出荷時の工程で予め登録してある縦線キズのデータを用いて縦線キズの補正を行う（ステップＳ５）。
【００５１】
設定されたダイナミックレンジが１００％より大きい場合は、Ｖ加算回数を決定する（ステップＳ２）。ここで、Ｖ加算とは、ラインメモリ１０３に転送された複数ラインの信号電荷の画素加算を指しており、Ｖ加算回数とは、ラインメモリ１０３で行う画素加算のライン数を指している。本発明は、垂直転送路１０２の欠陥による撮影画像の縦線キズを検出することが目的であるため、ラインメモリ１０３において、異なる色同士の画素について画素加算を行なっても構わない。
【００５２】
本発明では、縦線キズ検出用の画像信号の読み出しは、読み出し時間の短縮のためにＶ加算を行って読み出す。Ｖ加算回数の算出は、設定されたダイナミックレンジ拡大率、撮影ＩＳＯ感度、露光時間等の撮影条件により決定される副画素のフォトダイオード１０１ｂの線キズ検出用の露光量と、垂直転送路１０２と水平転送路１０４との飽和量とから、画素加算可能な回数の最大値を算出する。このようにＶ加算回数を決定することにより、垂直転送路１０２や水平転送路１０４の飽和漏れを防止することができる。
【００５３】
その後、キー操作部１４の図示しないシャッターレリーズボタンが操作されると、信号処理ＩＣ１３は、図示しないメカシャッターを開いてＣＣＤ１１の主画素のフォトダイオード１０１ａ及び副画素のフォトダイオード１０１ｂを露光させ、信号電荷の蓄積を開始させる。その後、信号処理ＩＣ１３は、タイミングジェネレータ１１を制御し、ＯＦＤシャッターパルスを出力する（タイミング〜Ｔ１）。ＯＦＤシャッターパルスは、水平同期信号に同期してタイミングジェネレータ１１からＣＣＤ１１の図示しないオーバーフロードレイン電極に印加されるものであり、ＯＦＤシャッターパルスにより主画素のフォトダイオード１０１ａ及び副画素のフォトダイオード１０１ｂに蓄積された信号電荷をＣＣＤ１１内の基板側に排出する。
【００５４】
すなわち、ＯＦＤシャッターパルスの印加が終了した時点（タイミングＴ１）からメカシャッターが閉じる時点（タイミングＴ３）までの間が撮影のための露光期間となる（ステップＳ３）。したがって、この露光期間が適正露出となる露光時間になるように、ＯＦＤシャッターパルスの印加とメカシャッターの動作を制御する。ダイナミックレンジ拡大撮影モードにおいては、この適正露出となる露光時間中に主画素のフォトダイオード１０１ａを露光し、主画素のフォトダイオード１０１ａは露光量に応じた信号電荷を蓄積する。
【００５５】
ここで、副画素のフォトダイオード１０１ｂは、ダイナミックレンジの拡大率に応じて適正露出よりも露出アンダーになるような露光時間（タイミングＴ２〜Ｔ３）で露光を行う。このため、信号処理ＩＣ１３は、タイミングジェネレータ１１を制御し、タイミングＴ２において副画素のフォトダイオード１０１ｂの読み出しパルスを出力する。このように、タイミングＴ１〜Ｔ２において副画素のフォトダイオード１０１ｂに蓄積された信号電荷を垂直転送路１０２に読み出し、タイミングＴ２から新たに信号電荷の蓄積を開始させる。
【００５６】
なお、この読み出しパルスは、図５に示すように、電位ＶＨ、ＶＭ、ＶＬから構成されている。電位ＶＬ及びＶＭは、垂直転送路１０２の信号電荷を垂直方向に転送する時に印加する電位であり、電位ＶＨは、フォトダイオード１０１に蓄積されている信号電荷を垂直転送路１０２に読み出す時（フィールドシフト時）に加えられる電位である。例えば、ＶＬが−８Ｖ、ＶＭが０Ｖ、ＶＨが１４Ｖであり、タイミングＴ２において電位ＶＨが印加されて、副画素のフォトダイオード１０１ｂの信号電荷が垂直転送路１０２に読み出される。すなわち、副画素のフォトダイオード１０１ｂは、電位ＶＨが印加された後、新たに露光量に応じた信号電荷の蓄積を開始する。
【００５７】
ここで、本発明では、タイミングＴ２で読み出した副画素のフォトダイオード１０１ｂの信号電荷を用いて、縦線キズの検出を行う（ステップＳ４）。信号処理ＩＣ１３は、タイミングジェネレータ１１を制御し、タイミングＴ２において読み出した副画素のフォトダイオード１０１ｂの信号電荷の転送を行う。このとき、ステップＳ２において決定したＶ加算回数に基づいて、垂直転送を行う。
【００５８】
ここで、Ｖ加算による信号電荷の転送について説明する。図６（ａ）は、通常の信号電荷の転送を示すタイミングチャートであり、図６（ｂ）は、Ｖ加算転送を行った信号電荷の転送を示すタイミングチャートである。図６（ｂ）に示す例では、２回のＶ加算を行っている。
【００５９】
前述したように、垂直転送路１０２に読み出された信号電荷は、タイミングジェネレータ１１から供給される８相の垂直転送パルスにより垂直転送される。図６（ａ）において、タイミングＴ１０１〜Ｔ１０２において水平方向の１画素分の信号電荷がラインメモリ１０３に転送され、タイミングＴ１０２〜Ｔ１０３においてラインメモリ１０３から水平転送路１０４に転送された信号電荷は、タイミングＴ１０３〜において水平転送される。
【００６０】
これに対し、Ｖ加算転送を行う場合は、図６（ｂ）において、タイミングＴ２０１〜Ｔ２０２において水平方向の１画素分の信号電荷がラインメモリ１０３に転送された後、さらにタイミングＴ２０２〜Ｔ２０３において次の水平方向の１画素分の信号電荷がラインメモリ１０３に転送される。この２ライン分の信号電荷は、タイミングＴ２０３〜Ｔ２０４においてラインメモリ１０３において加算された後水平転送路１０４に転送され、タイミングＴ２０４〜において水平転送される。
【００６１】
このように、Ｖ加算転送を行うことにより、信号電荷の転送時間の短縮を図ることが可能である。図７は、通常転送とＶ加算転送（２画素加算）の転送内容の差と短縮できる時間を示したイメージ図である。同図に示すように、信号電荷の転送時間において支配的な水平転送の回数を減らすことができるため、転送時間が短縮される。図５のタイミングＴ１〜Ｔ２において露光された副画素のフォトダイオード１０１ｂの画像は、垂直転送路１０２の縦線キズを検出するための画像であり、Ｖ加算転送を行う弊害が少ない。
【００６２】
信号処理ＩＣ１３は、このようにＶ加算転送を行なって取得した画像から、縦線キズの検出を行う。この縦線キズの検出については、公知の方法を用いて行えばよい。
【００６３】
図５に戻り、タイミングＴ３になると、信号処理ＩＣ１３は、図示しないメカシャッターを開いてＣＣＤ１１の主画素のフォトダイオード１０１ａ及び副画素のフォトダイオード１０１ｂの露光を終了させる。この時点において、主画素のフォトダイオード１０１ａには、露光時間がタイミングＴ１〜Ｔ３の信号電荷が蓄積されており、副画素のフォトダイオード１０ｂには、露光時間がタイミングＴ２〜Ｔ３の信号電荷が蓄積されている。なお、縦線キズの検出は、このタイミングＴ３までに行うことが好ましい。
【００６４】
さらに、信号処理ＩＣ１３は、タイミングジェネレータ１１を制御し、タイミングＴ４〜Ｔ５において、主画素のフォトダイオード１０１ａに蓄積された信号電荷を垂直転送路１０２に読み出し、読み出した信号電荷の転送を行って主画素のフォトダイオード１０１ａにおいて撮影された画像（適正露出画像）を取得する。なお、この動作を行う前のタイミングＴ３〜Ｔ４において、垂直転送路１０２の不要電荷の掃き出し駆動を行ってもよい。
【００６５】
続いて、信号処理ＩＣ１３は、タイミングジェネレータ１１を制御し、タイミングＴ５〜Ｔ６において副画素のフォトダイオード１０１ｂに蓄積された信号電荷を垂直転送路１０２に読み出し、読み出した信号電荷の転送を行って副画素のフォトダイオード１０１ｂにおいて撮影された画像（アンダー露出画像）を取得する。
【００６６】
なお、主画素のフォトダイオード１０１ａに蓄積された信号電荷と副画素のフォトダイオード１０１ｂに蓄積された信号電荷との読み出しを同時に行なってもよい。読み出しを同時に行なった場合は、垂直転送路１０２及び水平転送路１０４において同時に転送を行い、信号処理ＩＣ１３において、それぞれのフォトダイオードで撮影された画像毎に分離すればよい。
【００６７】
次に、ステップＳ４において検出した縦線キズの情報に基づいて、この適正露出画像とアンダー露出画像の２枚の画像の縦線キズの補正を行う（ステップＳ５）。縦線キズの補正についても、公知の方法を用いて行なえばよい。なお、縦線キズの開始位置（縦線キズの原因となっている欠陥画素の縦方向のアドレス）については、Ｖ加算転送を行っているために明確化できないため、補正開始座標は画像上端部となる。
【００６８】
最後に、縦線キズが補正された適正露出画像とアンダー露出画像を用いて、設定されたダイナミックレンジの拡大率に応じてダイナミックレンジを拡大した画像を生成する。
【００６９】
以上説明したように、ダイナミックレンジ拡大撮影モードにおいて主画素と副画素とで異なる露光時間で撮影を行う場合に、適正露出である主画素の露光時間と、アンダー露出である副画素の露光時間の差分において、副画素に露光させて縦線キズ検出用画像を撮影することにより、温度等の撮影条件によらない精度よい縦線キズ補正を行うことができ、さらには、後発縦線キズについても補正を行うことが可能となる。また、縦線キズ検出用画像を本撮影中に撮影することができるので、撮影時間が延びることもない。
【００７０】
本実施の形態では、ダイナミックレンジ拡大撮影モードにおいて縦線キズの補正を行ったが、主画素と副画素とで異なる露光時間で撮影を行うモードであれば、他の撮影モードにおいても適用することが可能である。例えば、一度の撮影において露光時間が異なる２枚の画像を取得するブラケット撮影モード等においても適用することができる。
【００７１】
＜第１の実施の形態の変形例＞
第１の実施の形態のダイナミックレンジ拡大撮影モードでは、主画素のフォトダイオード１０１ａの適正露出画像の露光と副画素のフォトダイオード１０１ｂのアンダー露出画像の露光とを同時に終了したが、露光を同時に開始し、副画素のフォトダイオード１０１ｂのアンダー露出画像の露光を先に終了し、その後副画素のフォトダイオード１０１ｂにより縦線キズ検出用画像の露光を行なってもよい。
【００７２】
図８は、同モードにおける信号電荷の蓄積と転送の変形例のタイミングチャートである。ここでは、タイミングＴ１１〜Ｔ１３が主画素のフォトダイオード１０１ａの適正露出画像の露光時間、タイミングＴ１１〜Ｔ１２が副画素のフォトダイオード１０１ｂのアンダー露出画像の露光時間、タイミングＴ１２〜Ｔ１３が縦線キズ検出用画像の露光時間となる。
【００７３】
第１の実施の形態と同様に、図示しないシャッターレリーズボタンが操作されると、信号処理ＩＣ１３は、図示しないメカシャッターを開いてＣＣＤ１１の主画素のフォトダイオード１０１ａ及び副画素のフォトダイオード１０１ｂを露光させる。その後、ＯＦＤシャッターパルスを最後に出力した時点（タイミングＴ１１）から、信号電荷の蓄積を開始する。
【００７４】
タイミングＴ１２になると、信号処理ＩＣ１３は、タイミングジェネレータ１１を制御し、副画素のフォトダイオード１０１ｂの読み出しパルスを出力し、タイミングＴ１１〜Ｔ１２において副画素のフォトダイオード１０１ｂに蓄積された信号電荷を垂直転送路１０２に読み出すし、タイミングＴ１２から新たに信号電荷の蓄積を開始させる。
【００７５】
また、読み出した信号電荷の垂直転送及び水平転送を行い、アンダー露出画像を取得する。
【００７６】
その後、タイミングＴ１３になると、信号処理ＩＣ１３は、図示しないメカシャッターを開いて主画素のフォトダイオード１０１ａ及び副画素のフォトダイオード１０１ｂの露光を終了させる。この時点において、主画素のフォトダイオード１０１ａには、露光時間がタイミングＴ１〜Ｔ３の信号電荷が蓄積されており、副画素のフォトダイオード１０ｂには、露光時間がタイミングＴ２〜Ｔ３の信号電荷が蓄積されている。
【００７７】
次に、信号処理ＩＣ１３は、タイミングジェネレータ１１を制御し、タイミングＴ１４〜Ｔ１５において主画素のフォトダイオード１０１ａに蓄積された信号電荷を垂直転送路１０２に読み出し、読み出した信号電荷の転送を行って主画素のフォトダイオード１０１ａにおいて撮影された適正露出画像を取得する。
【００７８】
続いて、信号処理ＩＣ１３は、タイミングジェネレータ１１を制御し、タイミングＴ１５〜Ｔ１６において副画素のフォトダイオード１０１ｂに蓄積された信号電荷を垂直転送路１０２に読み出し、読み出した信号電荷の転送を行って副画素のフォトダイオード１０１ｂにおいて撮影された縦線キズ検出用画像を取得する。このとき、第１の実施の形態と同様に、予め決定したＶ加算回数によりＶ加算転送を行う。
【００７９】
このような順序で適正露出画像とアンダー露出画像と縦線キズ検出用画像とを取得し、縦線キズ検出用画像から検出された縦線キズに基づいて適正露出画像とアンダー露出画像の縦線キズを補正してもよい。
【００８０】
また、垂直転送路１０２における信号電荷の垂直転送は、撮影ＩＳＯ感度が高い場合にオーバーラップ期間を長くして転送してもよい。
【００８１】
図９は、Ｖ加算転送を行う場合の垂直転送パルスの波形を示すタイミングチャートであり、同図の矢印で表した期間が８相の垂直転送パルスのオーバーラップ期間を示している。同図に示すように、転送パケットの前方の転送電極をオンして前方にパケットを形成させてから、転送パケットの最後尾の転送電極をオフして最後尾の転送パケットを消滅させるまでの期間を、オーバーラップ期間と呼ぶ。
【００８２】
オーバーラップ期間が短いと転送効率が落ちるため、転送する信号電荷が少ない場合には、図９（ａ）に示す短いオーバーラップ期間から、図９（ｂ）に示す長いオーバーラップ期間に切り替えることにより、転送効率を上げることが好ましい。したがって、撮影ＩＳＯ感度を判定し、例えば撮影ＩＳＯ感度が４００以上の場合に、オーバーラップ期間を所定時間よりも長くするように切り替えることが好ましい。このように構成することで、転送効率が悪化することによる縦線キズの誤検出を防止することができる。
【００８３】
なお、図９（ａ）と図９（ｂ）とでは、オーバーラップ期間と共に、垂直転送の転送周期が長くなっているため、垂直転送時間が増加している。垂直転送時間が増減しても全体の電荷の転送時間を変化させたくない場合は、図１３（ａ）に示すように、垂直転送が終了（タイミングＴ３０２）してから、ラインメモリ１０３から水平転送路１０４への転送を開始（タイミングＴ３０３）するまでの期間に、オーバラップ期間の増加による垂直転送時間の増加分の余裕を持たせておくことが考えられる。
【００８４】
また、図１３（ｂ）に示すように、ラインメモリ１０３への転送を先に終了させておき、垂直転送と水平転送を同期間（タイミングＴ４０２〜Ｔ４０３）に行ってもよい。
【００８５】
＜第２の実施の形態＞
第２の実施の形態のデジタルカメラ１の縦線キズ補正の動作について説明する。図１０は、本実施の形態のダイナミックレンジ拡大撮影モードにおける動作を示すフローチャートである。なお、図４と共通する部分には同一の符号を付し、その詳細な説明は省略する。第２の実施の形態の縦線キズ補正は、画面内の輝度の変化率に応じて、Ｖ加算転送を行う領域の幅を変更する。
【００８６】
ダイナミックレンジ拡大撮影モードにおいて、１００％より大きいダイナミックレンジ拡大率が設定される（ステップＳ１）と、垂直転送路１０２及び水平転送路１０４が飽和しない画素加算可能な回数の最大値を算出する（ステップＳ２）。
【００８７】
次に、信号処理ＩＣ１３は、スルー画像の信号を用いて、撮影画像の画面内の輝度変化率の予測を行う。輝度変化率の予測は、スルー画像の輝度のヒストグラムを算出し、算出したヒストグラムに基づいて行ってもよい。さらに、予測した輝度変化率が閾値Ａより大きいか否かを判定する（ステップＳ１１）。
【００８８】
輝度変化率がＡ以下の場合は、垂直転送路１０２の全段数のうち３／４の段数についてＶ加算転送を実施するように決定し（ステップＳ１２）、輝度変化率がＡより大きい場合は、垂直転送路１０２の全段数のうち１／２の段数についてＶ加算転送を実施するように決定する（ステップＳ１３）。
【００８９】
図１１は、画像内のＶ加算転送の内容と転送後の画像のサイズを示す図であり、図１１（ａ）はＶ加算転送を行わない場合、図１１（ｂ）は、垂直転送路１０２の全段数のうち１／２の段数をＶ加算転送（２画素加算）した場合、図１１（ｃ）は、垂直転送路１０２の全段数のうち３／４の段数をＶ加算転送した場合を表している。また、それぞれのハッチング部が読み出し後の画像サイズを表している。同図に示すように、垂直転送路１０２のうち、より多くの段数をＶ加算転送することにより読み出し時間の短縮を図ることができるが、読み出し後の画像サイズは小さくなる。
【００９０】
撮影画像を用いて縦線キズの検出を行う場合は、輝度の変化が少ない画像を用いた方が、検出精度は高くなる。また、縦線キズ検出用画像のサイズが大きい方が、縦線キズの検出の精度が高くなる。したがって、縦線キズ検出用画像の輝度の変化率が大きいと予測した場合は、縦線キズの検出精度を保つために、画像サイズが大きくなるようにＶ加算転送の段数を減らすように制御する。
【００９１】
なお、閾値Ａの値は、適宜決定すればよい。また、閾値は１つに限定されるものではなく、複数の閾値を用いて場合分けを行なってもよい。
【００９２】
その後、第１の実施の形態と同様に撮影を行い、適正露出画像、アンダー露出画像、及び縦線キズ検出用画像を取得する（ステップＳ３）。ここで、縦線キズ検出用画像の信号電荷の転送時には、ステップＳ１２、Ｓ１３で決定した段数についてＶ加算転送を行う。
【００９３】
以上のように取得した縦線キズ検出用画像から、縦線キズを検出する（ステップＳ４）。なお、縦線キズ検出用画像のうち、通常の垂直転送を行ったエリアを縦線キズ検出エリアとしてもよい。検出した縦線キズの情報に基づいて、適正露出画像とアンダー露出画像の２枚の画像の縦線キズの補正を行う（ステップＳ５）。
【００９４】
このように、画面内の輝度変化が大きいと予測した場合は、縦線キズの検出精度が低くなるので、Ｖ加算転送を実施する垂直転送路の段数を少なくし、通常の垂直転送を行う垂直転送路の段数を多くする。これにより、縦線キズの検出に使用できる部分を多くすることができ、縦線キズ検出精度を向上させることが可能となる。また、画面内の輝度変化が小さいと予測した場合は、Ｖ加算転送を実施する垂直転送路の段数を多くすることにより、転送時間の短縮を図ることができる。
【００９５】
＜第３の実施の形態＞
次に、第３の実施の形態の縦線キズ補正の動作について説明する。図１２は、本実施の形態のダイナミックレンジ拡大撮影モードにおける動作を示すフローチャートである。なお、図１０と共通する部分には同一の符号を付し、その詳細な説明は省略する。第３の実施の形態の縦線キズ補正は、連写撮影の場合と単写撮影の場合とで、Ｖ加算転送を行う領域の幅が異なっている。
【００９６】
ダイナミックレンジ拡大撮影モードにおいて、１００％より大きいダイナミックレンジ拡大率が設定されると、信号処理ＩＣ１３は、連写モードに設定されているか否かを判定する（ステップＳ２１）。本実施の形態のデジタルカメラ１のダイナミックレンジ拡大撮影モードでは、連写モードと単写モードが選択可能であり、連写モードを選択した場合には、シャッターレリーズボタンを押している間、連続して撮影を行い、撮影枚数分のダイナミックレンジを拡大した画像を取得することが可能である。なお、連写モードは、一度のシャッターレリーズボタンの操作により、予め定められた所定枚数の撮影を行うように構成してもよい。
【００９７】
連写モードに設定されている場合は、Ｖ加算回数を決定し（ステップＳ２ａ）、スルー画像の信号を用いて、撮影画像の画面内の輝度変化率の予測を行う（ステップＳ１１ａ）。輝度変化率がＡより大きい場合は、垂直転送路１０２の全段数のうち３／４の段数についてＶ加算転送を実施するように決定する（ステップＳ１２ａ）。また、輝度変化率がＡより小さい場合は、垂直転送路１０２の全段数について、Ｖ加算転送を実施するように決定する（ステップＳ２２）。
【００９８】
その後、本撮影を行い、適正露出画像、アンダー露出画像、及び縦線キズ検出用画像を取得する（ステップＳ３ａ）。ここで、縦線キズ検出用画像の信号電荷の転送時には、ステップＳ１２ａ、Ｓ２２で決定した段数についてＶ加算転送を行う。
【００９９】
以上のように取得した縦線キズ検出用画像から、縦線キズを検出する（ステップＳ４ａ）。さらに、検出した縦線キズの情報に基づいて、適正露出画像とアンダー露出画像の２枚の画像の縦線キズの補正を行う（ステップＳ５ａ）。
【０１００】
さらに、シャッターレリーズボタンの操作に基づいて、ステップＳ３ａに戻り、撮影を継続する。
【０１０１】
また、ステップＳ２１において、単写モードに設定されている場合は、Ｖ加算回数を決定し（ステップＳ２ｂ）、スルー画像の信号を用いて、撮影画像の画面内の輝度変化率の予測を行う（ステップＳ１１ｂ）。単写モードについては、輝度変化率がＡより大きい場合は、垂直転送路１０２の全段数のうち１／２の段数についてＶ加算転送を実施するように決定し（ステップＳ１３）、輝度変化率がＡより小さい場合は、垂直転送路１０２の全段数のうち３／４の段数について、Ｖ加算転送を実施するように決定する（ステップＳ１２ｂ）。
【０１０２】
その後、本撮影を行い、適正露出画像、アンダー露出画像、及び縦線キズ検出用画像を取得する（ステップＳ３ｂ）。ここで、縦線キズ検出用画像の信号電荷の転送時には、ステップＳ１３、Ｓ１２ｂで決定した段数についてＶ加算転送を行う。
【０１０３】
さらに、取得した縦線キズ検出用画像から、縦線キズを検出し（ステップＳ４ｂ）、検出した縦線キズの情報に基づいて、適正露出画像とアンダー露出画像の２枚の画像の縦線キズの補正を行う（ステップＳ５ｂ）。
【０１０４】
以上説明したように、連写モードに設定されている場合は、単写モードにおいて同じ輝度変化率であった場合よりも、スピードを優先し、なるべく多くのエリアについてＶ加算転送を実施する。このように、撮影モードに最適なＶ加算転送を行うことで、連写モードで必要とされる単時間での縦線キズ検出と、単写モードで必要とされる縦線キズ検出の精度の向上を両立させることが可能となる。
【０１０５】
本実施の形態では、ダイナミックレンジ拡大撮影モードでの連写において副画素のフォトダイオード１０１ｂを用いて縦線キズの検出を行ったが、主画素のフォトダイオード１０１ａの信号のみを用いて撮影を行う連写モードにおいても、本発明は適用可能である。
【０１０６】
また、本実施の形態では、撮影した全ての画像について、縦線キズ検出用画像の取得及び縦線キズの検出を行ったが、連写中は温度等の撮影条件の変化がないと考えられるので、連写する複数枚数の画像うちのいずれか１枚の撮影時に行い、その結果を全連写画像に反映させればよい。なお、ＣＣＤ１０の画素数（フォトダイオード１０１の数）によっては、Ｖ加算転送を行っても、主画素のフォトダイオード１０１ａへの露光期間中に副画素のフォトダイオード１０１ｂの転送が終了しない場合がある。したがって、連写間隔を均一かつ最短に保つためには、連写における最後の画像で縦線キズ検出用画像の取得及び縦線キズの検出を行うことが好ましい。
【図面の簡単な説明】
【０１０７】
【図１】図１は、本発明に係るデジタルカメラ１の撮像信号系における電気的構成の一例を示す図である。
【図２】図２は、ＣＣＤ１０の概略を示す図である。
【図３】図３は、ＣＣＤ１１のフォトダイオード１０１の１つの列の信号電荷１１１〜１１６を、垂直転送路１０２において垂直転送する様子を示す模式図である。
【図４】図４は、デジタルカメラ１のダイナミックレンジ拡大撮影モードにおける動作を示すフローチャートである。
【図５】図５は、第１の実施の形態のダイナミックレンジ拡大撮影モードにおける信号電荷の蓄積と転送に関するタイミングチャートである。
【図６】図６は、信号電荷の転送を示すタイミングチャートである。
【図７】図７は、通常転送とＶ加算転送（２画素加算）の転送内容の差と短縮できる時間を示したイメージ図である。
【図８】図８は、第１の実施の形態の変形例のダイナミックレンジ拡大撮影モードにおける信号電荷の蓄積と転送に関するタイミングチャートである。
【図９】図９は、８相の垂直転送パルスのオーバーラップ期間を示すタイミングチャートである。
【図１０】図１０は、第２の実施の形態のダイナミックレンジ拡大撮影モードにおける動作を示すフローチャートである。
【図１１】図１１は、画像内のＶ加算転送の内容と転送後の画像のサイズを示す図である。
【図１２】図１２は、第３の実施の形態のダイナミックレンジ拡大撮影モードにおける動作を示すフローチャートである。
【図１３】図１３は、オーバーラップ期間を長くする場合の信号電荷の転送を示すタイミングチャートである。
【符号の説明】
【０１０８】
１…デジタルカメラ、１０…ＣＣＤ、１１…タイミングジェネレータ、１２…アナログ信号処理部、１３…信号処理ＩＣ、１４…キー操作部、１０１ａ…主画素のフォトダイオード、１０１ｂ…副画素のフォトダイオード、１０２…垂直転送路、１０３…ラインメモリ、１０４…水平転送路、１０５…アンプ部
【図１】
2010166246.tif 000003
【図２】
2010166246.tif 000004
【図３】
2010166246.tif 000005
【図４】
2010166246.tif 000006
【図５】
2010166246.tif 000007
【図６】
2010166246.tif 000008
【図７】
2010166246.tif 000009
【図８】
2010166246.tif 000010
【図９】
2010166246.tif 000011
【図１０】
2010166246.tif 000012
【図１１】
2010166246.tif 000013
【図１２】
2010166246.tif 000014
【図１３】
2010166246.tif 000015